(57)【要約】開示された実施形態は、情報が識別されたフレームインタレース上で通信されることができる複数のフレームインタレースを識別することと、指定されたフレームインタレースのみを監視することによってアクセス端末が節電することができるように、識別されたフレームインタレースを少なくとも１つのアクセス端末に指定することとによって、１セットのフレームインタレースの中から少なくとも１つのフレームインタレースを指定する方法およびシステムを提供する。
2009514457.tif 000002
【特許請求の範囲】
【請求項１】
１セットのフレームインタレースの中から、少なくとも１つのフレームインタレースを指定するための方法であって、
複数のフレームインタレースを識別することと、なお、情報は、前記識別されたフレームインタレース上で通信されることができる；
指定されたフレームインタレースのみを監視することによってアクセス端末が節電することができるように、識別されたフレームインタレースを少なくとも１つのアクセス端末に指定することと；
を備える方法。
【請求項２】
前記識別することは、２つ以上のアクセス端末（ＡＴｓ）に同じフレームインタレースの指定を避けること、を備える、請求項１に記載の方法。
【請求項３】
前記識別することは、電力制御チャネルを搬送するフレーム上の前記識別されたフレームインタレースのうちの1つを位置合わせすること、を備える、請求項１に記載の方法。
【請求項４】
前記識別することは、電力制御チャネルを搬送するフレームに隣接するフレーム上の、第２の、前記識別されたフレームインタレースのうちの１つを、位置合わせすること、を備える請求項３に記載の方法。
【請求項５】
前記識別することは、ＡＴからのリクエストに基づいて前記フレームインタレースを識別すること、を備える、請求項１に記載の方法。
【請求項６】
前記リクエストは、前記ＡＴがサポートすることができる第１の数のフレームインタレースを備える、請求項５に記載の方法。
【請求項７】
前記ＡＴがサポートすることができる前記第１の数のフレームインタレースが、前記ＡＴにおける利用可能な電力に基づいて決定される、請求項６に記載の方法。
【請求項８】
前記識別することは、第２の数のフレームインタレースを識別すること、を備え、前記第２の数は、前記リクエストされたフレームインタレースの第１の数と等しいか、またはより少ない、
を備える請求項６に記載の方法。
【請求項９】
前記指定されたフレームインタレースを受信することに応じて、前記ＡＴによって生成された確認応答メッセージを受信すること、をさらに備える請求項１に記載の方法。
【請求項１０】
複数のフレームインタレースをリクエストするための方法であって、
アクセスポイントで、少なくとも利用可能な電力に基づいて、アクセス端末が監視できる複数のフレームインタレースを識別することと、
前記識別された複数のフレームインタレースをアクセスポイントに提供することと、
を備える方法。
【請求項１１】
前記提供することに応じて、複数の指定されたフレームインタレースを受信すること、をさらに備え、それによって、前記指定されたフレームインタレースのみを監視することにより節電する、請求項１０に記載の方法。
【請求項１２】
前記複数の指定されたフレームインタレースを受信することに応じて、前記ＡＰに確認応答メッセージを送信すること、をさらに備える請求項１１に記載の方法。
【請求項１３】
第１の数から第２の数へとフレームインタレースの指定されたセットを変更するための方法であって、
第１の数から第２の数へとフレームインタレースの指定されたセットを変更するためのリクエストを受信することと、
第２の数のフレームインタレースを識別することと、
指定された第２の数のフレームインタレースのみを監視することによってアクセス端末が節電することができるように、前記識別された第２の数のフレームインタレースを前記アクセス端末に指定することと、
を備える方法。
【請求項１４】
前記アクセス端末で、前記利用可能な電力が減少したとき、前記第２の数が前記第１の数よりも小さい、請求項１３に記載の方法。
【請求項１５】
前記アクセス端末で、前記利用可能な電力が増大したとき、前記第２の数が前記第１の数よりも大きい、請求項１３に記載の方法。
【請求項１６】
１セットのフレームインタレースの中から少なくとも１つのフレームインタレースを指定する方法をインプリメントするための手段、を具現化するコンピュータ可読媒体であって、前記方法は、
複数のフレームインタレースを識別することと、なお、情報は、前記識別されたフレームインタレース上で通信されることが可能である；
指定されたフレームインタレースのみを監視することによってアクセス端末が節電することができるように、前記識別されたフレームインタレースを少なくとも１つのアクセス端末に指定することと；
備える、
コンピュータ可読媒体。
【請求項１７】
複数のフレームインタレースをリクエストする方法をインプリメントするための手段を具現化するコンピュータ可読媒体であって、前記方法は、
前記アクセスポイントで、少なくとも利用可能な電力に基づいて、アクセス端末が監視することができる複数のフレームインタレースを識別することと、
前記識別された複数のフレームインタレースをアクセスポイントに提供することと、
を備える、
コンピュータ可読媒体。
【請求項１８】
第１の数から第２の数へとフレームインタレースの指定されたセットを変更する方法をインプリメントするための手段、を具現化するコンピュータ可読媒体であって、前記方法は、
第１の数から第２の数へとフレームインタレースの指定されたセットを変更するためのリクエストを受信することと、
第２の数のフレームインタレースを識別することと、
指定された第２の数のフレームインタレースのみを監視することによってアクセス端末が節電することができるように、前記識別された第２の数のフレームインタレースをアクセスポイントに指定することと、
を備える、
コンピュータ可読媒体。
【請求項１９】
１セットのフレームインタレースの中から、少なくとも１つのフレームインタレースを指定するための装置であって、
複数のフレームインタレースを識別するための手段と、なお、情報は、前記識別されたフレームインタレース上で通信されることができる；
指定されたフレームインタレースのみを監視することによってアクセス端末が節電することができるように、前記識別されたフレームインタレースを少なくともひとつのアクセス端末に指定するための手段と；
を備える装置。
【請求項２０】
複数のフレームインタレースをリクエストするための装置であって、
前記アクセスポイントで少なくとも利用可能な電力に基づいて、アクセス端末が監視することができる複数のフレームインタレースを識別するための手段と、
前記識別された複数のフレームインタレースをアクセスポイントに提供するための手段と、
を備える装置。
【請求項２１】
第１の数から第２の数へとフレームインタレースの指定されたセットを変更するための装置であって、
第１の数から第２の数へとフレームインタレースの指定されたセットを変更するためのリクエストを受信するための手段と、
第２の数のフレームインタレースを識別するための手段と、
指定された第２のフレームインタレースのみを監視することによってアクセス端末が節電することができるように、前記識別された第２の数のフレームインタレースを前記アクセスポイントに指定するための手段と、
を備える装置。
【請求項２２】
１セットのフレームインタレースの中から少なくとも１つのフレームインタレースを指定するために構成された、少なくともひとつのプロセッサであって、
複数のフレームインタレースを識別する第１モジュールと、なお、情報は、前記識別されたフレームインタレース上で通信されることができる；
指定されたフレームインタレースのみを監視することによってアクセス端末が節電することができるように、前記識別されたフレームインタレースを少なくとも１つのアクセス端末に指定する第２モジュールと；
備えるプロセッサ。
【請求項２３】
前記第１モジュールは、２つ以上のアクセス端末（ＡＴｓ）への同じフレームインタレースの指定を避ける、請求項２２に記載のプロセッサ。
【請求項２４】
前記第１モジュールは、電力制御チャネルを搬送するフレーム上で、前記識別されたフレームインタレースのうちの１つを位置合わせする、請求項２２に記載のプロセッサ。
【請求項２５】
前記第１モジュールは、電力制御チャネルを搬送するフレームに隣接するフレーム上で、第２の、前記識別されたフレームインタレースの１つを、位置合わせする、請求項２２に記載のプロセッサ。
【請求項２６】
前記第１モジュールは、ＡＴからのリクエストに基づいて、前記フレームインタレースを位置合わせし識別する、請求項２２に記載のプロセッサ。
【請求項２７】
前記リクエストは、前記ＡＴがサポートすることができる第１の数のフレーム-インタレースを備える、請求項２６に記載のプロセッサ。
【請求項２８】
前記ＡＴが対応することができる前記第１の数のフレームインタレースが、前記ＡＴで利用可能な電力に基づいて決定される、請求項２７に記載のプロセッサ。
【請求項２９】
前記第１モジュールは、第２の数のフレームインタレースを識別し、前記第２の数は、前記リクエストされた第１の数のフレームインタレースに等しいか、あるいはより少ない、請求項２８に記載のプロセッサ。
【請求項３０】
前記指定されたフレームインタレースを受信することに応じて、前記ＡＴによって生成された確認応答メッセージを受信する第３モジュール、をさらに備える請求項２２に記載のプロセッサ。
【請求項３１】
複数のフレームインタレースをリクエストするために構成された少なくとも１つのプロセッサであって、
アクセスポイントで少なくとも利用可能な電力に基づいて、アクセス端末が監視することができる複数のフレームインタレースを識別する、第１モジュールと、
前記識別された複数のフレームインタレースをアクセスポイントに提供する、第２モジュールと、
を備えるプロセッサ。
【請求項３２】
前記提供することに応じて、複数の指定されたフレームインタレースを受信するための第３モジュール、をさらに備え、それによって、前記指定されたフレームインタレースのみを監視することにより節電する、請求項１０に記載の方法。
【請求項３３】
前記複数の指定されたフレームインタレースを受信することに応じて、確認応答メッセージを前記ＡＰに送信するための第４モジュール、をさらに備える請求項３２に記載のプロセッサ。
【請求項３４】
第１の数から第２の数へとフレームインタレースの指定されたセットを変更するために構成された少なくともひとつのプロセッサであって、
第１の数から第２の数へとフレームインタレースの指定されたセットを変更するためのリクエストを受信する第１モジュールと、
第２のフレームインタレースを識別する第２モジュールと、
指定された第２のフレームインタレースのみを監視することによってアクセス端末が節電することができるように、前記識別された第２の数のフレームインタレースを前記アクセス端末に指定する第３モジュールと、
を備えるプロセッサ。
【請求項３５】
前記アクセス端末で前記利用可能な電力が減少するとき、前記第２の数は前記第１の数よりも小さい、請求項３４に記載のプロセッサ。
【請求項３６】
前記アクセス端末で前記利用可能な電力が増大するとき、前記第２の数が前記第１の数よりも大きい、請求項３４に記載のプロセッサ。
【発明の詳細な説明】
【背景】
【０００１】
［Ｉ．分野］
本発明は、一般的に通信に関連し、より具体的には、通信システムにおいて複数のフレームインタレース(frame interlaces)を効率的に指定することによって節電する(saving power)技術に関連する。
【０００２】
［ＩＩ．背景］
通信システムは、音声、パケットデータなどのような、様々な通信サービスを提供するために、広く展開されている。これらのシステムは、利用可能なシステムリソース(system resources)を共有することによって、複数のユーザ(multiple users)との通信を同時にサポートすることができる、時間、周波数、および／または符号分割多元接続システム(division multiple-access systems)、であってもよい。このような多元接続システムの例は、符号分割多元接続（ＣＤＭＡ）システム、多重キャリアＣＤＭＡ(Multiple-Carrier CDMA)（ＭＣ―ＣＤＭＡ）、広帯域ＣＤＭＡ（Ｗ−ＣＤＭＡ）、高速ダウンリンクパケット接続（ＨＳＰＤＡ）、時分割多元接続（ＴＤＭＡ）システム、周波数分割多元接続（ＦＤＭＡ）システム、および直交周波数分割多元接続（ＯＦＤＭＡ）システム、を含む。
【０００３】
通信システムは、情報を通信するために、フレームインタレースを使用することができる。したがって、電力消費を改善するであろう最適な数のフレームインタレースを指定する技術に対して、当技術分野において必要性がある。
【発明の開示】
【０００４】
［概要］
開示された実施形態は、識別されたフレームインタレース上で情報が通信されることができる第１の数のフレームインタレースを識別すること(identifying)、および、指定されたフレームインタレースのみを監視することによってアクセス端末が節電する(save power)ことができるように、識別されたフレームインタレースを少なくとも１つのアクセス端末に指定すること(designating)、によって、1セットのフレームインタレースの中から少なくとも１つのフレームインタレースを指定するための方法およびシステムを、提供する。
【０００５】
開示された実施形態はまた、アクセスポイントで、少なくとも１つの利用可能な電力に基づいて、アクセス端末が監視することができる複数のフレームインタレースを識別すること、および、識別された数のフレームインタレースをアクセスポイントに提供すること、によって、複数のフレームインタレースをリクエストするための方法およびシステムを、提供する。
【０００６】
開示された実施形態はまた、第１の数から第２の数へとフレームインタレースの指定されたセットを変更するためのリクエストを受信すること、第２の数のフレームインタレースを識別すること、および、指定された第２の数のフレームインタレースを監視することによってアクセス端末が節電することができるように、識別された第２の数のフレームインタレースをアクセスポイントに指定すること、によって、第１の数から第２の数へとフレームインタレースの指定されたセットを変更する方法およびシステムを、提供する。
【０００７】
［詳細な説明］
本発明の特徴および本質は、同様の参照文字が全体を通して同様に識別する図面と併せて、以下に記述される詳細な説明から、より明らかとなるであろう。
【０００８】
用語「例示的な(exemplary)」は、「例(example)、インスタンス(instance)、又は例証(illustration)として機能している」を意味するように、ここでは使用されている。ここに説明される、いずれの実施形態あるいは設計(design)も、「例示的な」であって、他の実施形態あるいは設計よりも、好ましいまたは有利であるとして、必ずしも解釈されるべきではない。
【０００９】
「アクセス端末(access terminal)」は、ユーザに対して、音声、および／あるいはデータ接続性(data connectivity)を提供するデバイスを指す。アクセス端末は、ラップトップコンピュータ、あるいはデスクトップコンピュータのようなコンピューティングデバイス(computing device)に接続されてもよく、あるいは、携帯情報端末(personal digital assistant)のような内蔵型デバイス(self contained device)であってもよい。アクセス端末はまた、加入者ユニット、移動局、モバイル、遠隔局、遠隔端末、ユーザ端末、ユーザエイジェント(user agent)、あるいはユーザ機器(user equipment)と、呼ばれることができる。アクセス端末は、加入者局、無線デバイス、携帯電話、ＰＣＳ電話、コードレス電話、セッションイニシエーションプロトコル(Session Initiation Protocol)（ＳＩＰ）、無線ローカルループ(wireless local loop)（ＷＩＬＬ）局、携帯情報端末(personal digital assistant)（ＰＤＡ）、無線接続能力を有するハンドヘルドデバイス(handheld device)、あるいは無線モデムに接続された他の処理デバイスであってもよい。
【００１０】
「アクセスポイント(access point)」は、１つ以上のセクタを通してエアインターフェース(air-interface)上でアクセス端末と通信するアクセスネットワークにおける、デバイスを指す。アクセスポイントは、受信したエアインターフェースフレームをＩＰパケットに変換することによって、アクセス端末と、ＩＰネットワークを備えることができるアクセスネットワークの残りのものとの間で、ルータ(router)として動作する(acts)。アクセスポイントはまた、エアインターフェースについての属性の管理(management of attribute)を調整する(coordinates)。
【００１１】
一実施形態においては、アクセス端末とアクセスポイントは、２つのモードのうちの１つ、すなわち「選択インタレースモードオン(selected-interlace-mode-on)」または「選択インタレースモードオフ(selected-interlace-mode-off)」、において操作することができる。選択インタレースモードオンのモードにおいては、アクセスポイントは、「選択インタレースセット(selected-interlace-set)」と呼ばれる１セットの指定されたフレームインタレース上のみで、アクセス端末に、ある割り当て(certain assignments)を送信する。選択インタレースモードオフのモードにおいては、アクセスポイントとアクセス端末が通信することができるフレーム上で、何の制限(restrictions)も置かれない。
【００１２】
一実施形態においては、アクセスポイントは、「１」にセットされた「イネーブルビット(enable bit)」で「選択インタレース」メッセージを送信すると同時に、「選択インタレースモードオン」のモードに入ることができ、また、アクセス端末は、「１」にセットされた「イネーブルビット」で「選択インタレース」メッセージを受信すると同時に、「選択インタレースオンモード」のモードに入ることができる。アクセス端末は、「０」にセットされた「イネーブルビット」で「選択インタレース」メッセージを受信すると同時に、あるいはハンドオフと同時に、「選択インタレースモードオフ」のモードに入ることが出来る。アクセスポイントは、「０」にセットされた「イネーブルビット」で、「選択インタレース」メッセージを送信すると同時に、あるいはハンドオフと同時に、「選択インタレースモードオフ」のモードに入ることができる。アクセス端末は、「０」にセットされた「イネーブルビット」で、「選択インタレースオフ」メッセージを受信するとき、アクセス端末は、「選択インタレース確認応答(acknowledgement)」メッセージで応答する(respond)ことができる。
【００１３】
アクセス端末への現存の選択インタレース割り当てを変更するために、アクセスポイントは、現存の「選択インタレースモード」を先ずディスエーブルにし(disable)、そして次に、新しい「選択インタレース」メッセージを送信することができる。「選択インタレースオン(selected-interlace-on)」モードに入ると同時に、アクセス端末とアクセスポイントは、「選択インタレースイネーブル状態(selected-interlace-enabled)」表示(indications)を生成することができ、「選択インタレースオフ(selected-interlace-off)」モードに入ると同時に、アクセス端末とアクセスポイントは、「選択インタレースディスエーブル状態(selected-interlace-disabled)」表示を生成することができる。
【００１４】
図１は、選択フレーム上で、割り当てを通信するための、フレームインタレースの割り付け(allocation)の一実施形態を示す。ＡＰは、１つ以上の指定されたフレームインタレース上で、ＡＴに対して割り当てを通信することができる。フレームインタレースは、周期的(periodic)あるいは非周期的(non-periodic)グループのフレームを含むことができる。例えば、フレームインタレース“０”は、フレーム｛０、６、１２、・・・｝を含むことができ、フレームインタレース“１”は、フレーム｛１、７、１３、・・・｝を含むことができ、フレームインタレース“２”は、フレーム｛２、８、１４、・・・｝を含むことができ、そしてフレームインタレース“５”は、フレーム｛５、１１、１７・・・｝を含むことができる。一実施形態において、ＡＰは、ＡＴに情報を通信するために、１つ以上のフレームインタレースを使用することができる。例えば、フレームインタレース“０”のフレーム「０」を送信した後で、もしＡＰがターゲットＡＴから確認応答（ＡＣＫ）を受信する場合は、ＡＰはフレーム「６」において新しい情報を送信する。そうでなければ、ＡＰは、フレーム「６」において、同じ情報を再送信してもよい。
【００１５】
一実施形態においては、ＡＰは、図１で示されているように、割り当てを通信するために、いくつかあるいはすべての利用可能なフレームインタレースを使用することができる。しかしながら、ＡＴは、可能な、割り当ての利用可能性(possible availability of assignments)について、すべてのフレームを読み取る必要がある。このケースにおいては、貴重な電力がＡＴで無駄使いされる。したがって、もし、ＡＴとＡＰが、どのフレームインタレースがＡＰによって使用されているのかをネゴシエイトする(negotiate)ならば、ＡＴ電力は節約されることができる。例えば、もし、フレームインタレース“０”および“２”上のみで、ＡＰが割り当てを送信することが、ネゴシエイトされるのであれば、そのときは、ＡＴは、フレーム０、２、６、８、１２、１４などを監視するかあるいは読み取ることを必要とするだけであろう。
【００１６】
一実施形態においては、選択フレームインタレースの数と識別が、ＡＰとＡＴの間で、ネゴシエイトされる。例えば、ＡＴは、利用可能な電力あるいは他の考慮すべき事項に基づいて、ＡＴが監視できる(may afford to monitor)第１の数のフレームインタレースをリクエストすることができる。ＡＴはまた、ＡＰによってすでに指定されたフレームインタレースの数における増大あるいは減少をリクエストすることができる。それに応じて、ＡＰは、ＡＴから受信したリクエストに対応し(accommodates)、指定された第２の数の選択フレームインタレースをＡＴに通知する。
【００１７】
ＡＰは、様々なファクタに基づいて複数のフレームインタレースを指定することができる。一実施形態においては、アクセスポイントは、同じフレームインタレースを２つ以上のＡＴに指定することを避ける。別の実施形態においては、ＡＰは、指定されたフレームインタレースを、電力制御チャネルを搬送するフレームに位置合わせすることができる。例えば、図１で示されているとおり、電力制御チャネルがフレームインタレース“２”上で搬送される場合は、ＡＰが指定するフレームインタレースのうちの１つはフレームインタレース“２”であろう。別の実施形態においては、ＡＰは、指定されたフレームインタレースを、電力制御チャネルを搬送するフレームに隣接する又は可能な限り近い、フレームに、位置合わせすることができる。例えば、図１で示されているように、電力制御チャネルがフレームインタレース“２”上で搬送される場合は、第２の、ＡＰが指定するフレームインタレースのひとつは、インタレース“１”あるいはフレームインタレース“３”のいずれかであろう。
【００１８】
図２は、フレームインタレースを指定するための１つのフロー図を示す。ステップ２０２において、ＡＴは、選択フレームインタレースモード(selected-frame-interlace-mode)をリクエストするために、選択インタレースリクエスト(selected-interlace-request)（ＳＩＲ）を送信することができる。リクエストは、メッセージＩＤ、リクエストが向けられているターゲットＡＰあるいはセクタの識別(identification)、例えばターゲットセクタのパイロットＰＮ、および／または、ＡＴで利用可能な電力に基づくことができる複数のインタレース、を含むことができる。ステップ２０４で、ＡＰは、ＡＴに、選択インタレースモード(selected-interlace-mode)を割り当てるために、選択インタレース指定メッセージ(selected-interlace-designation-message)（ＳＩＤＭ）を送信することができる。ＳＩＤＭメッセージは、メッセージＩＤ、ＡＴに割り当てられる指定されたインタレースの数、各割り当てられるインタレースに対して割り当てられるＩＤ、および／または、このメッセージを送信したＡＰあるいはセクタの識別、例えば、送信セクタの送信パイロットＰＩＮ、を含むことができる。ステップ２０６で、ＡＴは、ＳＩＤＭメッセージを受信すると同時に、選択インタレース確認応答(selected interlace acknowledgement)（ＳＩＡ）を送信することができる。ＳＩＡメッセージは、メッセージＩＤ、ＳＩＡメッセージが向けられているターゲットＡＰあるいはセクタの識別、例えば、ターゲットセクタのパイロットＰＩＮ、および、ＡＴが選択インタレースモードをイネーブルにした表示、を含むことができる。
【００１９】
図３は、図１と図２に関連して上記で考察されたようにインタレース割り付けと指定をインプリメントする(implementing)ための、アクセスポイント１１０ｘおよびアクセス端末１２０ｘのブロック図を示す。逆方向リンク(reverse link)については、端末１２０ｘで、送信（ＴＸ）データプロセッサ３１４は、データバッファ３１２からトラフィックデータ(traffic data)を受信し、選択符号化およびと変調スキームに基づいて各データパケットを処理し（例、符号化し、インターリーブし、シンボルマッピングし(symbol maps)）、データシンボル(data symbols)を提供する。データシンボルは、データについての変調シンボルであり、パイロットシンボルは、パイロットについての変調シンボルである（これは知られているアプリオリ(a priori）である）。モジュレータ(modulator)３１６は、逆方向リンクについての、データシンボル、パイロットシンボル、そして多分シグナリングを受信し、ＯＦＤＭ変調、および／または、システムによって指定されるような(as specified)他の処理を実行し、出力チップのストリーム(a stream of output chips)を提供する。送信ユニット（ＴＭＴＲ）３１８は、出力チップストリームを処理し（例えば、アナログに変換し、フィルタリングし、増幅し、そして、周波数アップコンバートし(frequency up converts)）、アンテナ３２０から送信される変調された信号を生成する。
【００２０】
アクセスポイント１１０ｘで、端末１２０ｘと、アクセスポイント１１０ｘと通信している他の端末と、によって送信される変調された信号は、アンテナ３５２によって受信される。受信ユニット（ＲＣＶＲ）３５４は、アンテナ３５２からの受信された信号を処理し（例えば、コンディションし(conditions)、デジタル化し）、受信されたサンプルを提供する。デモジュレータ(demodulator)（Ｄｅｍｏｄ）３５６は、受信されたサンプルを処理し（例えば、復調し、検出し）、検出されたデータシンボルを提供し、その検出されたデータシンボルは、端末によってアクセスポイント１１０ｘに送信されたデータシンボルのノイズのある推定(noisy estimate)である。受信（ＲＸ）データプロセッサ３５８は、各端末についての検出されたデータシンボルを処理し（例えば、シンボルデマッッピングし(symbol demaps)、デインターリーブし(deinterleaves)、そして復号化し(decodes)）、その端末についての復号化されたデータを提供する。
【００２１】
順方向リンク(forward link)については、アクセスポイント１１０ｘで、トラフィックデータは、データシンボルを生成するために、ＴＸデータプロセッサ３６０によって処理される。モジュレータ３６２は、順方向リンクについてのデータシンボル、パイロットシンボル、シグナリングを受信し、ＯＦＤＭ変調、および／または他の関係する(pertinent)処理を実行し、出力チップストリームを提供し、その出力チップストリームは、送信ユニット３６４によってさらにコンディションされ、アンテナ３５２から送信される。順方向リンクシグナリングは、逆方向リンク上で基地局１１０ｘに送信しているすべての端末についての、コントローラ３７０によって生成される電力制御コマンドを備えることができる。端末１２０ｘで、基地局１１０ｘによって送信される変調された信号は、アンテナ３２０によって受信され、そして、受信ユニット３２２によってコンディションされ、デジタル化され、そして、検出されたデータシンボルを得るためにデモジュレータ３２４によって処理される。ＲＸデータプロセッサ３２６は、検出されたデータシンボルを処理し、端末についての復号化されたデータ、および順方向リンクシグナリングを提供する。コントローラ３３０は、電力制御コマンドを受信し、データ送信を制御し、アクセスポイント１１０ｘに逆方向リンク上で電力を送信する。コントローラ３３０および３７０は、それぞれ、端末１２０ｘおよびアクセスポイント１１０ｘのオペレーション(operation)を指図する。メモリユニット３３２および３７２は、上記で説明されたように、フレームインタレース割り付けおよび指定をインプリメントするために、それぞれ、コントローラ３３０および３７０によって使用されるデータおよびプログラムコードを記憶する。
【００２２】
図４は、アクセス端末の一実施形態を示す。ＡＴにおける処理ユニットは、複数のフレームインタレースを、例えば、ＡＴ上で少なくとも利用可能な電力に基づいて、識別する第１モジュール４０２と、ＡＰからの複数のフレームインタレースをリクエストする第２モジュール４０４と、指定されたフレームインタレースを受信し、処理する第３モジュール４０６と、指定されたフレームインタレースを受信すると同時にＡＰにＡＣＫメッセージを送信する第４モジュール４０８と、を含むことができる。
【００２３】
図５は、アクセスポイントの一実施形態を示す。ＡＰにおける処理ユニットは、複数のフレームインタレースについての、１つ以上のＡＴからのリクエストを受信する第１モジュール５０２と、複数のフレームインタレースを識別する第２モジュール５０４と、識別されたフレームインタレースを指定する第３モジュール５０６と、そして１つ以上のＡＴに指定フレームインタレース(the designates frame interlaces)を送信する第４モジュール５０８と、を含むことができる。
【００２４】
図６は、アクセス端末のフロー図を示す。一実施形態においては、ステップ６０２において、ＡＴは、ＡＴに関するいくつかのファクタ、例えば利用可能な電力など、を監視することができる。ＡＴはまた、ステップ６０４において、例えば、ＡＴでの決定された利用可能な電力に基づいて、ＡＴがサポートすることができる複数のフレームインタレース、を識別することが出来る。ＡＴは、ステップ６０２および６０４を最初に実行するしないにかかわらず、ＡＴは、ステップ６０６において、複数のフレームインタレースをリクエストする。ＡＴは、ステップ６０８において、複数の指定されたフレームインタレースを受信し、ステップ６１０において、指定されたフレームインタレースを受信すると同時に、オプションとして(optionally)ＡＣＫメッセージを送信し、そして、ステップ６１２において、指定されたフレームインタレースのみを監視しはじめることができ、したがって、節電する。
【００２５】
図７は、アクセスポイントのフロー図を示す。一実施形態においては、ＡＰは、ステップ７０２において、１つ以上のＡＴから、選択フレームインタレースについてのリクエストを受信することができる。ＡＰがリクエストを受信するしないにかかわらず、ＡＰは、ステップ７０４において、複数のフレームインタレースを識別し、指定し、ステップ７０６において、指定された数の指定されたフレームインタレースをＡＴに送信する。ＡＰは、ステップ７０８において、もしＡＴによって送信された場合は、ＡＣＫメッセージを受信することができる。ＡＰは、ステップ７１０において、指定されたフレームインタレース上のみで、割り当てをターゲットＡＴに送信する。
【００２６】
開示された実施形態によれば、ＡＰとＡＴｓは、情報を通信するためにＡＰが使用することができる１セットの指定されたフレームインタレースに関し、ネゴシエイトすることができる、そうすることによって、ＡＴが指定されたフレームのみを監視することを可能にする。したがって、ターゲットＡＴは、すべてのフレームを監視するために限られた電力を無駄にすることを必要としないであろう。
【００２７】
開示された実施形態は、次の技術の任意の１つあるいは組み合わせたものに適用されることができる：符号分割多元接続（ＣＤＭＡ）システム、多重キャリアＣＤＭＡ(Multiple-Carrier CDMA)（ＭＣ―ＣＤＭＡ）、広帯域ＣＤＭＡ（Ｗ−ＣＤＭＡ）、高速ダウンリンクパケット接続（ＨＳＰＤＡ）、時分割多元接続（ＴＤＭＡ）システム、周波数分割多元接続（ＦＤＭＡ）システム、および直交周波数分割多元接続（ＯＦＤＭＡ）システム。
【００２８】
ここに説明されたシグナリング伝送技術(signaling transmission techniques)は、様々な手段によってインプリメントされることができる。例えば、これらの技術は、ハードウェア、ソフトウェア、あるいはそれらの組み合わせで、インプリメントされることができる。ハードウェアのインプリメンテーション(implementation)の場合は、シグナリングを処理する（例えば、圧縮し(compress)、符号化する）ために使用される処理ユニットは、１つ以上の特定用途向け集積回路（ＡＳＩＣｓ）、デジタル信号プロセッサ（ＤＳＰｓ）、デジタル信号処理デバイス（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、ここに説明されたファンクションを実行するために設計された他の電子ユニット、あるいはそれらの組み合わせ、の中でインプリメントされることができる。シグナリングを復号化し、解凍する(decompress)ために使用される処理ユニットはまた、１つ以上のＡＳＩＣｓ、ＤＳＰｓなどを使って、インプリメントされることもできる。
【００２９】
ソフトウェアのインプリメンテーションの場合は、シグナリング伝送技術は、ここに説明されたファンクションを実行するモジュール（例、プロシージャ(procedures)、ファンクション(functions)など）を使って、インプリメントされることができる。ソフトウェアコード(software codes)は、メモリユニット（例、図３におけるメモリユニット３３２あるいは３７２）に記憶されることができて、プロセッサ（例、コントローラ３３０あるいは３７０）によって実施されることができる。メモリユニットは、プロセッサ内で、あるいは、プロセッサの外部で、インプリメントされることができる。
【００３０】
開示された実施形態の、以上の説明は、いずれの当業者も本発明を作り、使用することができるように提供される。これらの実施形態に対する様々な修正は、当業者にとって容易に明らかであろう、そして、ここにおいて定義された包括的な原理は、本発明の精神あるいは範囲から逸脱することなく、他の実施形態に適用されることができる。したがって、本発明は、ここに示された実施形態に限定されるようには意図されておらず、ここに開示された原理および新規な特徴に整合する最も広い範囲が与えられるべきである。
【図面の簡単な説明】
【００３１】
【図１】図１は、フレームインタレース割り付けについての一実施形態を示す。
【図２】図２は、フレームインタレースを指定するためのフロー図を示す。
【図３】図３は、アクセスポイントおよびアクセス端末のブロック図を示す。
【図４】図４は、アクセス端末の一実施形態を示す。
【図５】図５は、アクセスポイントの一実施形態を示す。
【図６】図６は、アクセス端末のフロー図を示す。
【図７】図７は、アクセスポイントのフロー図を示す。
【図１】
2009514457.tif 000003
【図２】
2009514457.tif 000004
【図３】
2009514457.tif 000005
【図４】
2009514457.tif 000006
【図５】
2009514457.tif 000007
【図６】
2009514457.tif 000008
【図７】
2009514457.tif 000009
【国際調査報告】
2009514457.tif 000010
2009514457.tif 000011
2009514457.tif 000012